(57)【要約】【課題】  キャップの開閉を行いやすくした注出口体の提供。また、その注出口体を取り付けた難自立性容器の提供。【解決手段】  (i)上側に突出した状態と下側に窪んだ状態との間で変位するとともに、押圧されない限りそのいずれの状態をも保持する平面円形の上板１７ａの周囲に、下方内向きに折曲した複数の係合爪１７ｂ…を連設し、上記上板１７ａを下方に押圧すると上記各係合爪１７ｂ…が外方に拡がり、上板１７ａを上方に押圧すると各係合爪１７ｂ…が内方に窄むようにしてなるキャップ１７と、(ii)主筒１２の上端開口の外周縁に、上記キャップ１７の係合爪１７ｂ…を弾性的に係合させるキャップ係合用凸縁１３を形成するとともに、上記主筒１２の外周であってそのキャップ係合用凸縁１３の下方の位置に所要幅の指掛け用鍔１４を形成した注出口主体部１１とからなる注出口体。また、上記注出口主体部１１を難自立性の容体に取り付けてなる難自立性容器。【選択図】  図１
2005306384.tif 000002
【特許請求の範囲】
【請求項１】
(i)上側に突出した状態と下側に窪んだ状態との間で変位するとともに、押圧されない限りそのいずれの状態をも保持する平面円形の上板の周囲に、下方内向きに折曲した複数の係合爪を連設し、上記上板を下方に押圧すると上記各係合爪が外方に拡がり、上板を上方に押圧すると各係合爪が内方に窄むようにしてなるキャップと、
(ii)主筒の上端開口の外周縁に、上記キャップの係合爪を弾性的に係合させるキャップ係合用凸縁を形成するとともに、上記主筒の外周であってそのキャップ係合用凸縁の下方の位置に所要幅の指掛け用鍔を形成した注出口主体部とからなることを特徴とする注出口体。
【請求項２】
上記注出口主体部が、上記キャップ係合用凸縁の外周側上面に斜面を形成してなることを特徴とする請求項１記載の注出口体。
【請求項３】
上記注出口主体部が、上記主筒の外周であって上記指掛け用鍔の下方の位置に所要幅の包装箱噛合用鍔を形成してなることを特徴とする請求項１または２記載の注出口体。
【請求項４】
請求項１，２または３記載の注出口主体部を難自立性の容体に取り付けてなることを特徴とする難自立性容器。
【請求項５】
上記容体が、硬質合成樹脂製の底円盤と、同じく硬質合成樹脂製の上部円環枠と、それらの間に張架した柔軟なフィルム製の筒状胴壁と、上記上部円環枠の上面に張架された柔軟なフィルム製の天板と、基端を大径にして先端側を小径にした円錐台形筒状をなし、その基端において上記天板に連続し、かつ該天板に対して上下に出没自在な伸縮部とからなること、および、上記注出口主体部がその伸縮部の先端に取り付けられていることを特徴とする請求項４記載の難自立性容器。
【発明の詳細な説明】
【技術分野】
【０００１】
本発明は、柔軟なフィルム等からなる容体に注出口体を取り付けた難自立性容器、および、その注出口体に関する。
【背景技術】
【０００２】
従来より、粉体，粒体，液体または粘性体状の各種の建築用粘稠材、たとえばシーリング材や塗料等を充填して、これを保管，運搬等するのに用いる難自立性容器が知られている（特許文献１）。
【０００３】
その難自立性容器は、合成樹脂製の柔軟な容体の上部に、外周にネジを形成した筒体とその上端開口に着脱自在に螺合したキャップとからなる注出口体を取り付けているもので、上記筒体を通じて粘稠材を取り出せるようになっている。
【特許文献１】実用新案登録第3084128号公報
【発明の開示】
【発明が解決しようとする課題】
【０００４】
しかし、上記筒体は柔軟な上記容体に直接取り付けられており安定が悪く、キャップを開閉しようとするとその容体自体が捩れてしまうので、筒体をしっかり保持した上で開閉作業を行わなければならず、特に、粘稠材が漏れないようにキャップをきつく閉める際や、きつく閉められたキャップを開こうとする際の使い勝手は、必ずしも良くなかった。
【０００５】
そこで本発明はキャップの開閉を行いやすくした注出口体、および、その注出口体を取り付けた難自立性容器の提供を目的とする。
【課題を解決するための手段】
【０００６】
請求項１記載の本発明注出口体は、(i)上側に突出した状態と下側に窪んだ状態との間で変位するとともに、押圧されない限りそのいずれの状態をも保持する平面円形の上板１７ａの周囲に、下方内向きに折曲した複数の係合爪１７ｂ…を連設し、上記上板１７ａを下方に押圧すると上記各係合爪１７ｂ…が外方に拡がり、上板１７ａを上方に押圧すると各係合爪１７ｂ…が内方に窄むようにしてなるキャップ１７と、(ii)主筒１２の上端開口の外周縁に、上記キャップ１７の係合爪１７ｂ…を弾性的に係合させるキャップ係合用凸縁１３を形成するとともに、上記主筒１２の外周であってそのキャップ係合用凸縁１３の下方の位置に所要幅の指掛け用鍔１４を形成した注出口主体部１１とからなる。
【０００７】
請求項２記載の本発明は、上記注出口主体部１１が、上記キャップ係合用凸縁１３の外周側上面に斜面１３ａを形成してなる請求項１記載の注出口体である。
【０００８】
請求項３記載の本発明は、上記注出口主体部１１が、上記主筒１２の外周であって上記指掛け用鍔１４の下方の位置に所要幅の包装箱噛合用鍔１５を形成してなる請求項１または２記載の注出口体である。
【０００９】
請求項４記載の本発明難自立性容器は、請求項１，２または３記載の注出口主体部１１を難自立性の容体に取り付けてなる。
【００１０】
請求項５記載の本発明は、上記容体が、硬質合成樹脂製の底円盤１と、同じく硬質合成樹脂製の上部円環枠４と、それらの間に張架した柔軟なフィルム製の筒状胴壁８と、上記上部円環枠４の上面に張架された柔軟なフィルム製の天板９と、基端を大径にして先端側を小径にした円錐台形筒状をなし、その基端において上記天板９に連続し、かつ該天板９に対して上下に出没自在な伸縮部１０とからなり、上記注出口主体部１１がその伸縮部１０の先端に取り付けられている請求項４記載の難自立性容器である。
【発明の効果】
【００１１】
請求項１記載の本発明注出口体は、(i)上側に突出した状態と下側に窪んだ状態との間で変位するとともに、押圧されない限りそのいずれの状態をも保持する平面円形の上板の周囲に、下方内向きに折曲した複数の係合爪を連設し、上記上板を下方に押圧すると上記各係合爪が外方に拡がり、上板を上方に押圧すると各係合爪が内方に窄むようにしてなるキャップと、(ii)主筒の上端開口の外周縁に、上記キャップの係合爪を弾性的に係合させるキャップ係合用凸縁を形成するとともに、上記主筒の外周であってそのキャップ係合用凸縁の下方の位置に所要幅の指掛け用鍔を形成した注出口主体部とからなるので、これによれば、指掛け用鍔に人差し指または中指を掛けて注出口主体部を支持しながらキャップ上面を親指で押圧することができ、従来よりもキャップの開閉が容易に行える。
【００１２】
請求項２記載の本発明注出口体は、注出口主体部が、上記キャップ係合用凸縁の外周側上面に斜面を形成してなるから、これによれば、キャップの取付けがワンタッチで容易に行える。
【００１３】
請求項３記載の本発明注出口体は、注出口主体部が、上記主筒の外周であって上記指掛け用鍔の下方の位置に所要幅の包装箱噛合用鍔を形成してなるから、これによれば、包装箱の内蓋に形成した切欠きの縁部にその包装箱噛合用鍔を乗載して包装箱内部に落ち込まないよう支持させることができる。
【００１４】
請求項４記載の本発明難自立性容器は、上記の注出口主体部を難自立性の容体に取り付けてなるので、これによれば、注出口主体部の指掛け用鍔に人差し指または中指を掛け、該注出口主体部を支持しながらキャップの開閉を行うことができる。
【００１５】
請求項５記載の本発明難自立性容器は、上記容体が、硬質合成樹脂製の底円盤と、同じく硬質合成樹脂製の上部円環枠と、それらの間に張架した柔軟なフィルム製の筒状胴壁と、上記上部円環枠の上面に張架された柔軟なフィルム製の天板と、基端を大径にして先端側を小径にした円錐台形筒状をなし、その基端において上記天板に連続し、かつ該天板に対して上下に出没自在な伸縮部とからなり、また、上記注出口主体部がその伸縮部の先端に取り付けられているから、これによれば、該伸縮部が漏斗のような案内作用を奏するので内容物を取り出し易い。
【発明を実施するための最良の形態】
【００１６】
(i)上側に突出した状態と下側に窪んだ状態との間で変位するとともに、押圧されない限りそのいずれの状態をも保持する平面円形の上板１７ａの周囲に、下方内向きに折曲した複数の係合爪１７ｂ…を連設し、上記上板１７ａを下方に押圧すると上記各係合爪１７ｂ…が外方に拡がり、上板１７ａを上方に押圧すると各係合爪１７ｂ…が内方に窄むようにしてなるキャップ１７と、(ii)主筒１２の上端開口の外周縁に、上記キャップ１７の係合爪１７ｂ…を弾性的に係合させるキャップ係合用凸縁１３を形成するとともに、上記主筒１２の外周であってそのキャップ係合用凸縁１３の下方の位置に所要幅の指掛け用鍔１４を形成した注出口主体部１１からなる注出口体。
【実施例】
【００１７】
１は、円形の底板２の外周に垂直周壁３を沿設した硬質合成樹脂製の底円盤である。
【００１８】
４は、環状の水平周鍔５の内周開口縁に垂下壁６を連設した断面 「 形で、上記底円盤１と同じ硬質合成樹脂製の上部円環枠である。
７，７は、上記水平周鍔５の互いに対向する位置に幅広に形成された把持部である（図２）。
【００１９】
８は、ポリエチレン，ポリプロピレン，ポリエステル，ナイロン等の軟質合成樹脂薄層やアルミニウム等の金属箔等をラミネートした柔軟なフィルムを、上記底円盤１の垂直周壁３と上記上部円環枠４の垂下壁６との間に筒状に張架してなる、柔軟な、すなわち難自立性の筒状胴壁である。
【００２０】
９は、上部円環枠４の水平周鍔５の上面に張架されその開口を塞ぐ、筒状胴壁８と同じ柔軟なフィルム製で円形の天板である。
【００２１】
１０は、基端を大径にして先端側を小径にした円錐台形筒状をなし、その基端において上記天板９に連続している伸縮部である。それは、上記天板９と同じ柔軟なフィルム製で、該天板９に対して上下に出没自在に、すなわち、天板９の上に凸状に伸出し、また天板９の下に凹状に没入できるようになっている。
【００２２】
上記底円盤１，上部円環枠４，筒状胴壁８，天板９および伸縮部１０は、それぞれ別体に用意したものを互いに溶着または接着して一体化することにより、粘稠材を収容する難自立性の容体をなしているが、一体成形により製作してもよい。
【００２３】
１１は硬質プラスチック製の注出口主体部で、それは、円形の主筒１２の上端開口の外周縁に、キャップ係合用凸縁１３を形成している。１３ａは、そのキャップ係合用凸縁１３の外周側上面に形成された斜面である。
上記注出口主体部１１はまた、主筒１２の外周であってそのキャップ係合用凸縁１３の下方の位置に、指を掛けられる程度の所要の幅、たとえば８ｍｍ〜１５ｍｍ程度の幅の指掛け用鍔１４を形成するとともに、同じく主筒１２の外周であって該指掛け用鍔１４の下方の位置にそれとほぼ同じ幅の包装箱噛合用鍔１５を形成し、さらに、主筒１２の下端に固着用鍔１６を形成している。
【００２４】
この注出口主体部１１は後記のキャップ１７等とともに注出口体をなすもので、上記固着用鍔１６において上記伸縮部１０の先端側に溶着または接着、あるいは一体成形されており、上記伸縮部１０を天板９の上に凸状に伸出させたときには、天板９よりも上方に位置し（図１において実線で示した状態）、また、上記伸縮部１０を天板９の下に凹状に没入させると、天板９の下方に引っ込んで位置する（図１において仮想線で示した状態）ようになっている。
【００２５】
１７は、上記注出口主体部１１の上端にワンタッチで簡単に着脱できるキャップで、従来より石油缶等のキャップとして用いられているものと同じものである。
【００２６】
これは、上面または下面から押圧されることにより、上側にやや突出した状態と下側にやや窪んだ状態との間で変位するとともに、押圧されない限りそのいずれの状態をも保持する平面円形の上板１７ａの周囲に、下方内向きに折曲した複数の係合爪１７ｂ…を連設してなるもので、その各係合爪１７ｂ…は、上板１７ａを下方に押圧すると外方に拡がり、また、上板１７ａを上方に押圧すると内方に窄むようになっている。
【００２７】
すなわち、その係合爪１７ｂ…は、内方に窄むと先端が上記注出口主体部１１の上端のキャップ係合用凸縁１３に弾性的に係合し（図４）、また、外方に拡げると、キャップ係合用凸縁１３への係合を解いてキャップ１７を上記注出口主体部１１から摘み上げることができるようになっている（図５）。
【００２８】
１８は、上記キャップ１７の上板１７ａの下面側でかつ係合爪１７ｂ…の内側の位置に遊嵌された合成樹脂製の中栓であり、キャップ１７を注出口主体部１１に取り付けたときにその上端開口を気密に塞ぐようになっている。
【００２９】
１９は上記キャップ１７に、上記各係合爪１７ｂ…と上板１７ａの上面の外周部とを覆う状態で嵌合される、合成樹脂製のキャップカバーである（図３，４）。これは、上記キャップ１７の上板１７ａが誤って押下されたときに、各係合爪１７ｂ…が外方に拡がってしまうことを防止し、不用意にキャップ係合用凸縁１３への係合が解けないようにするために取り付けるものである。
【００３０】
上記構成からなる難自立性容器は、注出口主体部１１を通じて粘稠材の充填および取出しができるもので、しかも、筒状胴壁８が柔軟なフィルムからなるので、使用後にはその部分を折り畳んでコンパクトな状態にして廃棄、またはリサイクルのための処理を行うことができる。
【００３１】
上記難自立性容器の伸縮部１０および筒状胴壁８は柔軟なものゆえ、注出口主体部１１は安定が悪いが、上記キャップ１７の取外しは、たとえば以下のようにして従来よりも格段に容易に行えるものである。
【００３２】
まず、伸縮部１０を上方に伸出させた状態とし、上記キャップカバー１９を取り外す（図４）。
【００３３】
次に、注出口主体部１１の指掛け用鍔１４の下側に両手の人差し指または中指を掛け、両親指でキャップ１７の上板１７ａの中央部分を下方に押圧する。
すなわち、注出口主体部１１は伸縮部１０に取付けられているから、キャップ１７を単に下方に押圧しただけでは伸縮部１０を押し潰してしまうだけであるが、指掛け用鍔１４に指を掛けることにより、注出口主体部１１を支持しながらキャップ１７の上板１７ａを押圧して簡単に係合爪１７ｂ…を外方に拡げキャップ係合用凸縁１３への係合を解くことができる。
キャップ１７は、係合爪１７ｂ…の係合を解いた後（図５）、上方に摘み上げて取り外すことができる。
【００３４】
一方、キャップ１７を注出口主体部１１へ取り付ける際には、上板１７ａの中央部分を上側に突出させた状態にしたキャップ１７（図６）を注出口主体部１１の上端に乗載し、指掛け用鍔１４の下側に両手の人差し指または中指を掛け、両親指でキャップ１７の上板１７ａの外周縁部分を下方に押圧する。
【００３５】
これにより、係合爪１７ｂは、キャップ係合用凸縁１３の斜面１３ａにその先端を当接させて強制的に外方に拡げられながらキャップ係合用凸縁１３に弾性的に係合する。
必要であれば、その後、キャップ１７にキャップカバー１９を取り付ける。
【００３６】
このように本発明難自立性容器は、注出口主体部１１が指掛け用鍔１４を有しているので、これに指を掛けることにより従来の難自立性容器よりも容易に、ワンタッチでキャップ１７の取外しおよび取付けを行える。
またその指掛け用鍔１４は、その下側に指を掛けることにより、天板９の下方に引っ込んでいる状態の注出口主体部１１を引き上げるのにも有用である。
【００３７】
上記の難自立性容器からの粘稠材の取出しは、上記のようにキャップ１７を取り外し、所要の取出し器具を用いて行ってもよいし、また、キャップ１７を取り外した状態でこの難自立性容器自体を持ち上げ、逆さにすることによって、注出口主体部１１から粘稠材を注ぎ出してもよい。
【００３８】
なお、粘稠材は一定の粘性を有するので、従来のような難自立性容器では、逆さにして粘稠材を取り出そうとしても、隅角部等に滞留したものがうまく筒体へ導かれず内部に残ってしまうことがあったが、本発明に係る難自立性容器を逆さにして粘稠材を取り出す場合には、天板９上に円錐台状に突出している上記伸縮部１０が漏斗のようにして粘稠材を注出口主体部１１に案内するから、従来のものにくらべ、容器内の粘稠材を取り出し易くなっている。
【００３９】
また、一旦開封し粘稠材の一部を取り出した後、残りを難自立性容器内に引き続き保管しておくような場合には、上記のようにして再びキャップ１７を取り付けて密封しても良いが、上記キャップ１７から中栓１８を取り外し、これを注出口主体部１１の上端に嵌合しておけば、異物の混入等を簡単に防止することができる。
【００４０】
２０は、上記難自立性容器を支持するための段ボール等製で中空円筒状または中空多角筒状の支持枠体である。
これは、難自立性容器の筒状胴壁８よりやや大径で、かつ上記上部円環枠４の水平周鍔５とほぼ同径であり、また、その高さは筒状胴壁８とほぼ同じになっている。
【００４１】
この支持枠体２０に嵌挿することにより、難自立性容器は水平周鍔５を下方から支持され、所要の場所に起立状態で載置して保管することができる。
また、粘稠材を充填した難自立性容器は、直接段ボール製等の包装箱に収納すると、胴膨れにより包装箱内面に圧接してしまい、粘稠材をある程度取り出してからでないとそこから引き出すことができなくなることがあるが、この支持枠体２０に嵌挿した状態で、支持枠体２０ごと包装箱に収納しておき、これとともに包装箱から引き出すようにすれば、胴膨れにより引き出せなくなってしまうというようなことがない。
【００４２】
２１は上記難自立性容器を収納できる所要の大きさの、段ボール等製の包装箱である（図７）。
難自立性容器は、上記支持枠体２０に嵌挿支持された状態で、かつ、伸縮部１０を天板９の下方に没入させて注出口体を天板９よりも下方に引っ込めた状態でこの包装箱２１にコンパクトに収納梱包することができ、この状態で、包装箱２１ごと輸送，保管等に供することができる。
【００４３】
２１′は上記包装箱２１の変形例で、それは内蓋２２の所要位置に、難自立性容器の上記注出口体を挿通させる部分および前記包装箱噛合用鍔１５を噛合させる部分を有する所要形状の切欠き２３を設けている（図８，９）。
この包装箱２１′は上記包装箱２１と同様に難自立性容器を収納して輸送，保管するのに用いることができるものであるが、さらに、難自立性容器から粘稠材を取り出す際に、以下のように用いることができる。
【００４４】
すなわち、この包装箱２１′の外蓋２４，２４のみを開き、難自立性容器の注出口体を、内蓋２２の上記切欠き２３を通じて引き出すとともに、その切欠き２３の縁部に包装箱噛合用鍔１５を乗載した状態とする（図９）。
【００４５】
これにより、注出口体は、包装箱２１′の内部に落ち込まないよう支持されるので、この状態で、キャップ１７を取り外し、包装箱２１′ごと持ち上げ、傾けることによって難自立性容器内の粘稠材を取り出すことができる。
そして、粘稠材の一部だけを取り出して、残りを保管しておく必要があるような場合には、難自立性容器を包装箱２１′に収納梱包した状態のまま保管しておくことができる。
【００４６】
なお、上記では注出口主体部１１の包装箱噛合用鍔１５と指掛け用鍔１４との径は同径としたが、必ずしも同径でなくともよい。
【００４７】
また、包装箱噛合用鍔１５は省略してもよい。この場合、注出口主体部１１は、指掛け用鍔１４を包装箱２１′の内蓋２２に乗載することにより、包装箱２１′内に落ち込まないように支持させておくことができる。
【図面の簡単な説明】
【００４８】
【図１】本発明の実施例に係る難自立性容器を示した断面図である。
【図２】同上の平面図である。
【図３】注出口体の分解斜視図である。
【図４】保護リングを注出口体から取り外した状態を示した要部拡大断面図である。
【図５】キャップを取り外そうとしている状態を示した要部拡大断面図である。
【図６】キャップを取り付けようとしている状態を示した要部拡大断面図である。
【図７】包装箱に上記難自立性容器を収納梱包した状態を示した断面図である。
【図８】内蓋に切欠きを有する変形例に係る包装箱に、上記難自立性容器を収納した状態を示した断面図である。
【図９】注出口体を内蓋に支持させた状態の断面図である。
【符号の説明】
【００４９】
１      底円盤
２      底板
３      垂直周壁
４      上部円環枠
５      水平周鍔
６      垂下壁
７      把持部
８      筒状胴壁
９      天板
１０    伸縮部
１１    注出口主体部
１２    主筒
１３    キャップ係合用凸縁
１３ａ  キャップ係合用凸縁の斜面
１４    指掛け用鍔
１５    包装箱噛合用鍔
１６    固着用鍔
１７    キャップ
１７ａ  上板
１７ｂ  係合爪
１８    中栓
１９    キャップカバー
２０    支持枠体
２１，２１′  包装箱
２２    内蓋
２３    切欠き
２４    外蓋
【図１】
2005306384.tif 000003
【図２】
2005306384.tif 000004
【図３】
2005306384.tif 000005
【図４】
2005306384.tif 000006
【図５】
2005306384.tif 000007
【図６】
2005306384.tif 000008
【図７】
2005306384.tif 000009
【図８】
2005306384.tif 000010
【図９】
2005306384.tif 000011